(57)【要約】      （修正有）【課題】ネクタイの着脱の容易化が可能であり、取り付けたネクタイの結び目が緩くなることを防止可能なネクタイ止め具を提供する。【解決手段】ネクタイ止め具１を、本体をなす板状体、一対の差込片２０、２１、爪支承体３１と爪３３とを有するフック部３０、押さえ部４０により形成する。板状体の背面側において、爪支承体３１を板状体の下端縁中央から上方に向かって延成し、爪支承体３１の先端に爪３３を形成する。さらに、押さえ部４０を爪支承体３１の前面に形成し、押さえ部４０の押圧体４３によって、板状体の背面とフック部３０との間に挟まれるネクタイを押圧する。【選択図】図２
0003167451.tif 000002
【実用新案登録請求の範囲】
【請求項１】
本体と、一対の差込片と、フック部と、押さえ部と、からなり、
前記本体は、前面と背面とを有する板状体であり、当該板状体の前面の中央部分が、当該板状体の前面の左右両側部分よりも前方に向かって膨出しており、前方から見た当該板状体の前面の左右の横幅が、上方から下方に向かって徐々に減少しており、
前記一対の差込片は、前記本体の上縁の左右両端部分からそれぞれ斜め上方に向かって延成されており、
前記フック部は、爪支承体と爪とを有し、当該爪支承体が、前記本体の背面側において、前記本体の下端から上方に向かって延成されており、当該爪が、当該爪支承体の上端から後方かつ下方に向かって延成されており、
前記押さえ部は、前記爪支承体の前側部分に取り付けられており、前記押さえ部が、前記本体と前記フック部との間に挟まれるネクタイを押圧し、ネクタイの結び目が緩むのを止める押圧体を有していることを特徴とするネクタイ止め具。
【考案の詳細な説明】
【技術分野】
【０００１】
本考案は、ネクタイを着脱する際に用いるネクタイ止め具に関する。
【背景技術】
【０００２】
地球の温暖化現象への対応として、夏場における冷房の設定温度を適正化が広く行なわれている。このような活動の一環として、社内でネクタイ着用を省略する等の軽装（いわゆるノーネクタイ）が奨励されている。しかし、社内においてノーネクタイで仕事をしていたとしても、顧客と会う場合等、ネクタイの着用が求められる機会も多い。
寸暇を惜しんで働く者にとり、ネクタイを締めたり外したりする行為は、煩雑な行為である。そこで、ネクタイの着脱の容易化を図ることを目的として、ネクタイ止め具が提唱されている（特許文献１を参照）。
【０００３】
このネクタイ止め具は、中央部が前面に向かって凸円弧状に湾曲した本体と、この本体の両側から斜め上方に突出する一対の差込片と、前記本体の前面に設けられ上下方向に開口するネクタイ通し部と、前記本体の裏面に設けられ本体から逆Ｕ字状に突出するフック部とを具備しており、本体の前面にネクタイ通し部が設けられている。そして、ネクタイ止め具にネクタイを取り付ける際、ネクタイ通し部にネクタイの小剣部を通し、ネクタイ止め具に取り付けたネクタイの結び目が緩むことを防止する。
【先行技術文献】
【特許文献】
【０００４】
【特許文献１】第３０６２８４９号登録実用新案公報
【考案の概要】
【考案が解決しようとする課題】
【０００５】
しかし、前述のネクタイ止め具にネクタイを取り付ける際、いちいちネクタイ通し部にネクタイの小剣部を通さなければならない。しかし、この作業は、慣れを必要とし、かなり時間を要することが多く、ネクタイの着脱の容易化を図るという本来の目的を達成しているとは言いにくい面があった。
また、ネクタイ通し部にネクタイの小剣部を通さなければ、ネクタイ止め具に取り付けたネクタイの結び目かすぐに緩くなり、ネクタイの結び目の形が乱れてしまう。
【０００６】
本考案は、上記問題を解決するものであり、その目的とするところは、使用者がネクタイの着脱を容易に行なうことができ、ネクタイ止め具に取り付けたネクタイの結び目が緩くなることを防止可能であり、ネクタイ止め具に取り付けたネクタイの結び目の形が崩れることを防止可能なネクタイ止め具を提供することである。
【課題を解決するための手段】
【０００７】
本考案は、その課題を解決するために以下のような構成をとる。請求項１の考案に係るネクタイ止め具は、本体と、一対の差込片と、フック部と、押さえ部と、からなり、前記本体は、前面と背面とを有する板状体であり、当該板状体の前面の中央部分が、当該板状体の前面の左右両側部分よりも前方に向かって膨出しており、前方から見た当該板状体の前面の左右の横幅が、上方から下方に向かって徐々に減少しており、前記一対の差込片は、前記本体の上縁の左右両端部分からそれぞれ斜め上方に向かって延成されており、前記フック部は、爪支承体と爪とを有し、当該爪支承体が、前記本体の背面側において、前記本体の下端から上方に向かって延成されており、当該爪が、当該爪支承体の上端から後方かつ下方に向かって延成されており、前記押さえ部は、前記爪支承体の前側部分に取り付けられており、前記押さえ部が、前記本体と前記フック部との間に挟まれるネクタイを押圧し、ネクタイの結び目が緩むのを止める押圧体を有している。
【０００８】
本願考案者は、試行錯誤をかさねて研究した結果、従来のネクタイ止め具に取り付けたネクタイの結び目がすぐに緩くなるという現象は、薄手のネクタイや表面が滑らかな絹製のネクタイにおいて発生しやすいことを見出した。そして、更に研究を重ねた結果、以下のことが判明した。すなわち、ネクタイの結び目が形成されている部分において、ネクタイの重なりあっている部分が滑ってずれ動き、折角できた結び目が緩むことになり、結び目の形が乱れるのである。
ネクタイ止め具にネクタイを取り付けて、押圧体によって、本体とフック部との間に挟まれるネクタイを押圧する。押圧体がネクタイを押圧することによって、ネクタイの結び目が形成されている部分において、ネクタイの重なりあっている部分が滑ったりずれ動いたりすることが防止される。この結果、ネクタイの厚さや素材に関係なく、ネクタイ止め具に取り付けたネクタイの結び目が緩むことが防止され、ネクタイ止め具に取り付けたネクタイの結び目の形が崩れることも防止される。
【０００９】
なお、押圧体がネクタイを押圧する圧力は、ネクタイの厚さや素材に応じて適宜調整すればよい。また、押さえ部が、爪支承体の前側部分に、着脱自在に取り付けられていてもよいし、爪支承体の前側部分に、一体化して固着されていてもよい。
【考案の効果】
【００１０】
上記のようなネクタイ止め具であるので、使用者がネクタイの着脱を容易に行なうことができ、ネクタイ止め具に取り付けたネクタイの結び目が緩くなることが防止され、ネクタイ止め具に取り付けたネクタイの結び目の形が崩れることも防止される。
【図面の簡単な説明】
【００１１】
【図１】ネクタイ止め具の説明図であり、（ｉ）はネクタイ止め具の正面図、（ｉｉ）はネクタイ止め具の側面図、（ｉｉｉ）は（ｉ）におけるＡ−Ａ線縦断面図、（ｉｖ）は斜め後方から見たネクタイ止め具の斜視図である。
【図２】ネクタイを取り付けたネクタイ止め具を斜め後方から見た斜視図である。
【考案を実施するための形態】
【００１２】
本考案の実施の形態を図１及び図２を参照しつつ説明する。
図１に示すように、ネクタイ止め具１は、本体１０、一対の差込片２０、２１、フック部３０、押さえ部４０を有する。
本体１０は、前面１２と背面１３とを有する板状体１１からなる。板状体１１を前面１２側から見ると、前面１２の中央部分１４が、前面１２の左右両側部分１５よりも前方に向かって膨出しており、板状体１１の前面１２の左右の横幅が、上方から下方に向かって徐々に減少している。板状体１１を背面１３側から見ると、背面１３は前面１２と対応した形状を有しており、凹面をなしている。
【００１３】
板状体１１を前面１２側から見ると、板状体１１の上縁１６の右端部分から、細長い差込片２０が右斜め上方に向かって延成されており、板状体１１の上縁１６の左端部分から、細長い差込片２１が左斜め上方に向かって延成されている。
フック部３０は、爪支承体３１と爪３３とを有する。板状体１１の背面１３側において、爪支承体３１が、板状体１１の下端縁１７中央から上方に向かって延成されている。爪支承体３１は、その下端が板状体１１に連続しているだけであり、爪支承体３１の下端以外の部分と板状体１１の背面１３との間には隙間が形成されている。爪支承体３１の上端部分に爪３３が形成されている。爪３３は、爪支承体３１の上端部分から、爪支承体３１の後方かつ下方に向かって、延成されている。
【００１４】
爪支承体３１の前面３２が、板状体１１の背面１３と対向しており、押さえ部４０が、前面３２上に取り付けられている。押さえ部４０は、逆Ｕ字状に湾曲した部材であり、２本の足部４１とこれらの足部４１をつなぐ接続部４２とを有する。前面３２上には、押さえ部４０の一方の足部４１と嵌合可能な溝部４４が形成されている。押さえ部４０の一方の足部４１が溝部４４に嵌合し、押さえ部４０が前面３２上に取り付けられている。押さえ部４０の他方の足部４１が押圧体４３をなし、押圧体４３が板状体１１の背面１３に向かい合っている。
【００１５】
ネクタイ止め具１は上述した構成を有している。次に、ネクタイ止め具１の使用方法について説明する。
ネクタイ止め具１へのネクタイ５０の取り付けは、以下に説明する方法で行なう（図１及び図２を参照）。
ネクタイ５０において、幅の広い大剣部５２、ネックバンド５１、幅の狭い小剣部５３が、長手方向に連なっている。ネクタイ５０の表面には、長手方向に連続する縦縞が描かれており、ネクタイ５０の裏面は、無地である。
【００１６】
使用者は、板状体１１の上縁１６を上側にし、板状体１１の下端縁１７を下側にし、板状体１１の前面１２を自分側に向け、ネクタイ止め具１を片手で持つ。そして、使用者は、ネクタイ５０の表面を表側にして、ネクタイ５０のネックバンド５１を上縁１６に上から架ける。このとき、使用者は、小剣部５３を板状体１１の前面１２側に垂らし、大剣部５２を板状体１１の背面１３側に垂らす。
次に、使用者は、板状体１１の上縁１６から板状体１１の背面１３側に垂れ下ったネックバンド５１を、そのまま、差込片２０に後側から前側に１回巻きつける。そして、使用者は、差込片２０に巻きつけたネックバンド５１の大剣部５２側部分を、板状体１１の前面１２を覆うように横方向に右側から左側に導く。さらに、使用者は、導いたネックバンド５１を差込片２１に後側から前側に１回巻きつける。このとき、板状体１１の前面１２側において、ネクタイ５０のネックバンド５１が二重に積層する。
【００１７】
そして、大剣部５２を、板状体１１の上縁１６側から、前面１２側において二重に積層するネックバンド５１の間を、上側から下側に通し、大剣部５２を、下に垂らす。この結果、小剣部５３が大剣部５２の裏側に重なり、板状体１１の上にネクタイ５０の結び目が形成される。使用者は、板状体１１の上に形成されたネクタイ５０の結び目の形を、自分の好みに合わせて整える。このとき、板状体１１の背面１３において、ネックバンド５１の大剣部５２側部分と小剣部５３側部分とが二重に積層する。より具体的には、背面１３側において、差込片２０に巻きつけられている部分のネックバンド５１の上に、差込片２１に巻きつけられている部分のネックバンド５１が、重なる。
【００１８】
次に、使用者は、板状体１１の背面１３において、ネックバンド５１の大剣部５２側部分と小剣部５３側部分とが二重に積層する部分の上を、押圧体４３によって押圧する。この押圧力は、押圧体４３をなす足部４１の弾性変形と、押さえ部４０の接続部４２の弾性変形とにより、生じる。そして、この押圧力が、板状体１１の背面１３において積層する大剣部５２側部分と小剣部５３側部分との間の摩擦力を生む。この摩擦力が、大剣部５２側部分と小剣部５３側部分とが滑ったりずれ動いたりすることを防止し、板状体１１の上に形成されたネクタイ５０の結び目が緩んだり崩れたりすることが防止される。
なお、ネクタイ止め具１に取り付けたネクタイ５０において、使用者は、垂れ下がる小剣部５３の長さを、適宜、ネクタイピン等を用いて調整する。使用者は、ネクタイ５０を着用する際、ワイシャツの左右の襟の下に差込片２０、２１をそれぞれ挿し込み、フック部３０の爪３３をワイシャツの襟元に引っ掛ける。
【符号の説明】
【００１９】
１    ネクタイ止め具
１０    本体
１１    板状体
１２    板状体の前面
１３    板状体の背面
１４    板状体の前面の中央部分
１５    板状体の前面の左右両側部分
１６    板状体の上縁
１７    板状体の下端縁
２０、２１    差込片
３０    フック部
３１    爪支承体
３２    爪支承体の前面
３３    爪
４０    押さえ部
４１    押さえ部の足部
４２    押さえ部の接続部
４３    押圧体
４４    溝部
５０    ネクタイ
５１    ネックバンド
５２    大剣部
５３    小剣部
【図１】
0003167451.tif 000003
【図２】
0003167451.tif 000004